(57)【特許請求の範囲】
【請求項１】
正確に目標物のバーコードを読み取る制御方法であるバーコードスキャナの信号読取り制御方法において、
ａ）レーザーエンジン（２）を利用して、目標物を検出すると共にバーコード（３）の正確なアドレスを指示する光源を発生し、バーコードスキャナのキーが押された時に、暫時走査構造を起動させず、
ｂ）固定周波数の振動波をレーザーダイオードに加え、このときレーザーダイオードはバーコードスキャナと同じ光学経路で、振動方式で光点を投射し、読取待機中の目標物が読取可能範囲に進入した時に、バーコードスキャナの光源検出センサが光点上の同一周波数の反射光信号を受け取り、信号の増幅整形処理の後、出力端で正確な反射信号を得て、このとき、ただこの信号の周波数を確認し、レーザーダイオードを透過して発射する周波数と同じであれば目標物が読取可能範囲に進入したことを確定し、
ｃ）目標物がすでに読取可能範囲に進入した時、レーザー光点がすでに読取待機のバーコード（３）に投射され、このときバーコードスキャナがレーザーダイオードの状態を定格電流駆動に変換し、並びに走査構造を起動してレーザー光点を走査して線となし、バーコードを読み取ることを特徴とする、バーコードスキャナの信号読取り制御方法。
【請求項２】
請求項１に記載のバーコードスキャナの信号読取り制御方法において、前段の検出作業と後段のバーコード読取作業が同一の光学構造と同一の信号受信増幅回路によりなされることを特徴とする、バーコードスキャナの信号読取り制御方法。
【発明の詳細な説明】
【０００１】
【発明の属する技術分野】
本発明は一種のバーコードスキャナの信号読取り制御方法に係り、特に、バーコードスキャナが現在有する光学構造を利用し、搬送波を含む指示光源を目標物に投射し、その後、反射された信号周波数を受信し確認し、目標物がすでに読取範囲内にあることを確認し、並びにバーコードスキャナがすでに正確に読み取り準備のバーコードに指向していると確定してから、走査構造を起動しバーコードを読み取るバーコードスキャナの信号読取り制御方法に関する。
【０００２】
【従来の技術】
周知のとおり、現在消費者が買物した後、物品をレジに持ってゆき、支払いを行う。この時、レジ係は消費者が購入した物品をいちいちレジ台のバーコードスキャナの上に置き走査するか、或いはレジ係が手に持つバーコードスキャナで直接物品上のバーコードを読み取り、バーコードの映像をレジスタの中に入力し、物品の価格を割り出し、これにより消費者がレジスタのディスプレイで物品の価格を知ることができる。
【０００３】
上述のハンディータイプの伝統的なバーコードスキャナはスイッチを押すことで走査を開始する。例えば米国特許第５，８２１，５２０号のバーコードスキャナ光電信号処理可能なシステムによると、バーコードスキャナはバーコードエリアの異なる反射値、及びバーコードエリアの近隣の非バーコードエリアを閲覧できる。それは、入力する信号内容をデコードするデコーダ、スキャナの出力信号を処理する信号処理回路を含み、及び入力信号を発生してデコーダに送りスキャナの出力する非バーコードエリアの信号を類似チェックする作用は削除されている。この信号処理回路は削除作用を有する削除器を具え、信号発生期間を予定時間の信号削除より短くする。また、該信号処理回路は、一つ或いは二つの第１比例計算器を具えてスキャナの出力した信号間隔特性を計算する。また第２比例計算器を具えて、スキャナの出力した非バーコードエリアの信号の特性を計算する。しかし、前述のバーコードスキャナの欠点は以下のとおりである。即ち、目標（バーコード）が読取有効範囲内に出現しなくとも、バーコードスキャナが依然として動作し、この時、動作は無意義であるだけでなく、電力を消費する。欠点のその２は、走査線が現出する前に、目標に整合しているか否かを確実に知ることができなかったことである。
【０００４】
このほか、巷の類似の製品中には、一組の反射式検出素子を外接して目標物を検出するものがある。しかし、一般にこのような素子は数ｃｍの近距離に適用され、長距離式バーコードスキャナは１５ｃｍ、２０ｃｍ、３０ｃｍを読み取らねばならず、ゆえに理想的とはいえなかった。且つこのような反射式検出素子はほとんどが赤外線素子であり、ゆえに目標物指示の能力を有していなかった。
【０００５】
【発明が解決しようとする課題】
本発明の主要な目的は、上述の欠点を解決し、欠点の存在をなくすことにあり、即ち、本発明は、バーコードスキャナの現在ある光学構造を利用し、搬送波を含む指示光源を目標物に投射し、その後、反射された信号周波数を受信し確認し、目標物がすでに読取範囲内にあることを確認し、並びにバーコードスキャナがすでに正確に読み取り準備のバーコードに指向していると確定してから、走査構造を起動しバーコードを読み取る制御方法であるものとする。
【０００６】
本発明のもう一つ目的は、バーコードスキャナの信号読取り制御方法において、目標整合時に、同時に複数のバーコードが同一の製品に印刷されている時に、正確に読取必要なバーコードを選択することができるようにすることにある。
【０００７】
本発明のさらにもう一つの目的は、バーコードスキャナの信号読取り制御方法において、前段の検出作業と、後段のバーコード読み取り作業を同一の光学構造と同一の信号受信増幅回路で行い、これにより正確な検出、定位を行い、電力を節約できるようにすることにある。
【０００８】
【課題を解決するための手段】
請求項１の発明は、正確に目標物のバーコードを読み取る制御方法であるバーコードスキャナの信号読取り制御方法において、
ａ）レーザーエンジン（２）を利用して、目標物を検出すると共に、バーコード（３）の正確なアドレスを指示する光源を発生し、バーコードスキャナのキーが押された時に、暫時走査構造を起動させず、
ｂ）固定周波数の振動波をレーザーダイオードに加え、このときレーザーダイオードはバーコードスキャナと同じ光学経路で、振動方式で光点を投射し、読取待機中の目標物が読取可能範囲に進入した時に、バーコードスキャナの光源検出センサが光点上の同一周波数の反射光信号を受け取り、信号の増幅整形処理の後、出力端で正確な反射信号を得て、このとき、ただこの信号の周波数を確認し、レーザーダイオードを透過して発射する周波数と同じであれば目標物が読取可能範囲に進入したことを確定し、
ｃ）目標物がすでに読取可能範囲に進入した時、すでにレーザー光点が読取待機のバーコード（３）に投射されており、このときバーコードスキャナがレーザーダイオードの状態を定格電流駆動に変換し、並びに走査構造を起動してレーザー光点を走査して線となし、バーコードを読み取ることを特徴とする、バーコードスキャナの信号読取り制御方法としている。
請求項２の発明は、請求項１に記載のバーコードスキャナの信号読取り制御方法において、前段の検出作業と後段のバーコード読取作業が同一の光学構造と同一の信号受信増幅回路によりなされることを特徴とする、バーコードスキャナの信号読取り制御方法としている。
【０００９】
【発明の実施の形態】
本発明のバーコードスキャナの信号読取り制御方法によると、レーザー素子を利用して、目標物を検出すると共に、バーコードの正確なアドレスを指示する光源を発生し、バーコードスキャナのキーが押された時に、暫時走査構造を起動させず、固定周波数の振動波をレーザーダイオードに加える。このときレーザーダイオードはバーコードスキャナと同じ光学経路で、振動方式で光点を投射し、読取待機中の目標物が読取可能範囲に進入した時に、バーコードスキャナの光源検出センサが光点上の同一周波数の反射光信号を受け取り、信号の増幅整形処理の後、出力端で正確な反射信号を得て、このとき、ただこの信号の周波数を確認し、レーザーダイオードを透過して発射する周波数と同じであれば目標物が読取可能範囲に進入したことを確定し、目標物がすでに読取可能範囲に進入した時、レーザー光点を読取待機のバーコードに投射し、このときバーコードスキャナがレーザーダイオードの状態を定格電流駆動に変換し、並びに走査構造を起動してレーザー光点を走査して線となし、バーコードを読み取ることを特徴とする、バーコードスキャナの信号読取り制御方法としている。
【００１０】
【実施例】
本発明のバーコードスキャナの信号読取り制御方法で運用されるハードウエア回路は、デコーダ（Ｄｅｃｏｄｅｒ  ｕ−Ｃｏｎｔｒｏｌｌｅｒ）１と、レーザーエンジン２で組成される。このレーザー素子を利用し、目標物を検出し、及びバーコードの正確なアドレスを指示する光源を発生し、バーコードスキャナのキーが押された時に、暫時走査構造を起動せず、先に固定周波数の振動波をレーザーダイオードに加え、このときレーザーダイオードはバーコードスキャナと同じ光学経路で、振動方式で光点を投射し、読取待機中の目標物が読取可能範囲に進入した時に、バーコードスキャナの検出素子が光点上の同一周波数の反射光信号を受け取り、信号の増幅整形処理の後、出力端で正確な反射信号を得る。このとき、ただこの信号の周波数を確認し、レーザーダイオードを透過して発射する周波数と同じであれば目標物が読取可能範囲に進入したことを確定し、またレーザー光点がすでに読み取り待機のバーコードに投射され、このときバーコードスキャナがレーザーダイオードの状態を定格電流駆動に変換し、並びに走査構造を起動してレーザー光点を走査して線となし、バーコードを読み取る。
【００１１】
上述のデコーダ１は、バーコード読み取りの制御ソフトを搭載し、且つスイッチ１１が連設され、このスイッチ１１が押されると、電源が起動される。
【００１２】
該レーザーエンジン２は、上述のデコーダ１と双方向伝送を行い、レーザービーム２１及び光源検出センサ２２を具えている。前述のレーザービーム２１は光源を被走査物のバーコード３に投射して光源検出センサ２２がバーコード３が反射した光源を検出する。
【００１３】
デコーダ１のスイッチ１１が押された後、電源４がオンとされてレーザーエンジン２が起動され、このときデコーダ１のレーザー制御端（ｌａｓｅｒ  ｅｎａｂｌｅ）５が一つの振動信号を送出し、この振動信号がレーザーエンジン２に加えられたレーザーダイオードより発射される。この時、走査制御端７がオフ状態を呈し、レーザーエンジン２が走査せず、このとき、デコーダ１がデータ出力端８の信号を検査開始し、目標物が読取可能な範囲に進入したこと、レーザービーム２１の発射する光波信号が反射されて戻り、デコーダ１が反射信号が発射信号と等しい時を検出し、レーザー制御端５を定格電流起動方式に変換し、並びに走査制御端７を起動して走査構造に動作開始させ、レーザー光点を走査して線となし、並びに走査制御端６が同期信号を読み取り、並びにデータ出力端８がバーコードデータを読み取る。
【００１４】
図２に示されるのは、本発明のソフトウエアフローチャートである。図示されるように、このソフトウエア動作時に、まず、スイッチ検出を実行９し、即ち、電源をオンとし１０、その後クロック信号をレーザー入力端に送り１０１、さらにデータ出力端検出判断１０２に進入する。もし、このデータ出力端検出判断１０２で、信号が正確であると判断すると、クロック信号伝送を停止１０３し、その後、レーザー入力端をオンとして定格電流をレーザーダイオードに送り１０４、さらに走査機構を起動１０５した後、即刻データ読み取りを開始１０６する。
【００１５】
もし、データ出力端検出１０２において、信号が検出されない時、時間が超過していないか否かの検査判断１０７を行い、もし時間が不超過であれば、データ出力端検出１０２に戻り、もし時間が超過したと判断すれば、電源を遮断１０８し、即刻レーザー入力端へのクロック信号伝送を停止１０９する。
【００１６】
この前段の検出作業と後段のバーコード読み取り作業は同一の光学構造と同一の信号受信増幅回路で行われ、ゆえに正確な検出位置決め、節電の目標を達成する。
【００１７】
【発明の効果】
本発明の制御方法は従来の技術の欠点を解決し、欠点の存在をなくす。即ち、本発明は、バーコードスキャナの現在ある光学構造を利用し、搬送波を含む指示光源を目標物に投射し、その後、反射された信号周波数を受信し確認し、目標物がすでに読取範囲内にあることを確認し、並びにバーコードスキャナがすでに正確に読み取り準備のバーコードに指向していると確定してから、走査構造を起動しバーコードを読み取る制御方法である。
【００１８】
本発明の制御方法はまた、バーコードスキャナの信号読取り制御方法において、目標整合時に、同時に複数のバーコードが同一の製品に印刷されている時に、正確に読取必要なバーコードを選択することができるようにしている。
【００１９】
本発明はさらに、バーコードスキャナの信号読取り制御方法において、前段の検出作業と、後段のバーコード読み取り作業を同一の光学構造と同一の信号受信増幅回路で行い、これにより正確な検出、定位を行い、電力を節約できるようにしている。
【図面の簡単な説明】
【図１】本発明の回路ブロック図である。
【図２】本発明のソフトウエアフローチャートである。
【符号の説明】
１  デコーダ
２  レーザーエンジン
１１  スイッチ
２１  レーザービーム
２２  光源検出センサ
３  バーコード
４  電源
５  レーザー制御端
７  走査制御端
８  データ出力端
【図１】
0003556179.tif 000002
【図２】
0003556179.tif 000003